(57)【要約】【課題】自動的に運転を終了する衣類乾燥機においてフィルターが目詰まりしていても適度な乾き具合で運転を終了することできる衣類乾燥機を実現する。【解決手段】通常は乾燥度検出手段１２からの単位時間当りに抵抗検知手段１１によって衣類の抵抗値が所定の値よりも小さいことを検出した回数の時間変化の情報よりヒータ７への入力を行う残り時間を決定し、フィルター目詰まり検出手段１４によりフィルターが目詰まりしていると認識したときはヒータ７への入力を行う残り時間を通常と異なる設定をするように構成したものであり、適度な乾き具合で運転を終了することができる。【選択図】図１
2010188034.tif 000002
【特許請求の範囲】
【請求項１】
熱源と、衣類を収納し乾燥させる回転ドラムと、前記回転ドラム内に前記熱源により加熱された熱風を供給する送風ファンと、送風経路内に配設され衣類から発生するリントを回収するフィルターと、前記回転ドラム内の衣類の抵抗を検知する抵抗検知手段と、前記抵抗検知手段の情報より衣類の乾燥度を検出する乾燥度検出手段と、前記熱源の近傍に配設された温度センサと、前記温度センサの情報より前記フィルターの目詰まり度合いを検出するフィルター目詰まり検出手段と、前記乾燥度検出手段と前記フィルター目詰まり検出手段との情報により前記熱源への入力を制御する制御手段とを備え、前記制御手段は、通常は前記乾燥度検出手段からの単位時間当りに前記抵抗検知手段によって衣類の抵抗値が所定の値よりも小さいことを検出した回数の時間変化の情報より前記熱源への入力を行う残り時間を決定し、フィルター目詰まり検出手段によりフィルターが目詰まりしていると認識したときは前記熱源への入力を行う残り時間を通常とは異なる設定をするように構成した衣類乾燥機。
【発明の詳細な説明】
【技術分野】
【０００１】
本発明は熱風を回転ドラム内に供給して衣類を乾燥し、自動的に運転を終了する衣類乾燥機に関するものである。
【背景技術】
【０００２】
従来、衣類乾燥機においては、乾燥度検出手段により検出した情報に基づいて自動的に運転を終了するように構成していた（例えば、特許文献１参照）。
【０００３】
図７に示すように、本体１の下部に駆動源となるモータ２を設けており、このモータ２と本体１の背面側に設けたファン３および回転ドラム４を回転させるようにしている。また、本体１の正面側に熱源となるヒータ５を配設しファン３の回転によりヒータ５を通って加熱された熱風が熱風吹出口６を介して回転ドラム４内に導入され、回転ドラム４内に収容された衣類が加熱乾燥される。回転ドラム４の奥壁にフィルター７を装着し、衣類から出るリントが機外に放出しないようにしている。矢印Ａは風の流れを示している。また、８は電極で、運転中は回転ドラム４内の衣類に接触するようにしている。この電極８は、図８に示すように２個の導電部材９と絶縁部材１０とにより構成され、導電部材９間の抵抗値Ｒを検出することによって衣類の乾燥状態を検知するようにし、図９に示すように導電部材９間の抵抗値Ｒが所定時間Ｔ１連続して設定値ａよりも大きくなった時刻ｔ２より、一定の遅延時間Ｔ３経過した時刻ｔ４において運転を終了するように構成している。なお遅延時間Ｔ３を設定するのは時刻ｔ２においては乾燥が不十分であるためである。
【特許文献１】特開平６−３２７８９９号公報
【発明の開示】
【発明が解決しようとする課題】
【０００４】
しかしながら、このような従来の衣類乾燥機では、衣類から発生したリントがフィルターに付着するなどの要因により乾燥の速度が変わるため、適度な乾き具合に応じた遅延時間Ｔ３の設定をすることが困難であるという課題があった。
【０００５】
本発明は、上記従来の課題を解決するもので、フィルターが目詰まりしていても適度な乾き具合で運転を終了することできる衣類乾燥機を提供することを目的としている。
【課題を解決するための手段】
【０００６】
本発明の衣類乾燥機は上記目的を達成するために、通常は乾燥度検出手段からの単位時間当りに抵抗検知手段によって衣類の抵抗値が所定の値よりも小さいことを検出した回数の時間変化の情報より熱源への入力を行う残り時間を決定し、フィルター目詰まり検出手段によりフィルターが目詰まりしていると認識したときは熱源への入力を行う残り時間を通常と異なる設定をするように構成した衣類乾燥機である。
【０００７】
これにより、衣類から発生したリントがフィルターに付着するなどの要因により乾燥の速度が変わっても、乾燥速度に応じた遅延時間の設定ができるものである。
【発明の効果】
【０００８】
本発明の衣類乾燥機は、フィルターが目詰まりしても正確に乾燥検知をして適度な乾き具合で運転を終了することができる衣類乾燥機を実現することができる。
【発明を実施するための最良の形態】
【０００９】
本発明は、熱源と、衣類を収納し乾燥させる回転ドラムと、前記回転ドラム内に前記熱
源により加熱された熱風を供給する送風ファンと、送風経路内に配設され衣類から発生するリントを回収するフィルターと、前記回転ドラム内の衣類の抵抗を検知する抵抗検知手段と、前記抵抗検知手段の情報より衣類の乾燥度を検出する乾燥度検出手段と、前記熱源の近傍に配設された温度センサと、前記温度センサの情報より前記フィルターの目詰まり度合いを検出するフィルター目詰まり検出手段と、前記乾燥度検出手段と前記フィルター目詰まり検出手段との情報により前記熱源への入力を制御する制御手段とを備え、前記制御手段は、通常は前記乾燥度検出手段からの単位時間当りに前記抵抗検知手段によって衣類の抵抗値が所定の値よりも小さいことを検出した回数の時間変化の情報より前記熱源への入力を行う残り時間を決定し、フィルター目詰まり検出手段によりフィルターが目詰まりしていると認識したときは前記熱源への入力を行う残り時間を通常と異なる設定をするように構成したことにより、フィルターが目詰まりしても正確に乾燥検知をして適度な乾き具合で運転を終了することができる。
【００１０】
以下、本発明の実施の形態について、図面を参照しながら説明する。なお、従来例と同じ構成のものは同一符号を付して説明を省略する。また、この実施の形態によって本発明が限定されるものではない。
【００１１】
（実施の形態１）
図１は本発明の実施の形態１における衣類乾燥機のブロック図、図２は同衣類乾燥機の縦断面図、図３は同衣類乾燥機の電極の斜視図、図４は同衣類乾燥機で普通の衣類を乾燥させたときの抵抗検知手段の出力特性図および温度センサ、ヒータ入力の時間変化を示す図、図５は同衣類乾燥機で乾きにくい衣類を乾燥させたときの抵抗検知手段の出力特性図および温度センサ、ヒータ入力の時間変化を示す図、図６は同衣類乾燥機でフィルター目詰まり時に普通の衣類を乾燥させたときの抵抗検知手段の出力特性図および温度センサ、ヒータ入力の時間変化を示す図である。図１〜図３において、電極８は２個の導電部材９と絶縁部材１０とにより構成され、抵抗検知手段１１によって導電部材９間の抵抗値を検出している。乾燥度検出手段１２は抵抗検知手段１１によって衣類の抵抗値が所定の値よりも大きくなったことを検出した回数の時間変化の情報より衣類の乾燥度を検出する。温度センサ１３はヒータ５の近傍に配設され、フィルター目詰まり検出手段１４はフィルター７の目詰まり度合いを検出する。制御手段１５は乾燥度検出手段１２とフィルター目詰まり検出手段１４の情報により、ヒータ５およびモータ２を制御する。
【００１２】
図４（ａ）は普通の衣類を乾燥させたときの、単位時間当りに抵抗検知手段１１によって衣類の抵抗値が所定の値よりも小さいことを検出した回数Ｙの時間変化を示したものである。運転当初にはｙ１であったものが、乾燥の進行により徐々に回数が減少し、時刻ｔ５において０となる。乾燥度検出手段１２は時刻ｔ５において、ｙ１の値とｔ５より、残りの運転時間Ｔ６を算出する。衣類の量が多いときは乾燥に時間がかかるためｔ５が遅くなる。逆に少ないときはｔ５が早くなる。また、衣類の水分量が多いときの運転当初は電極８に湿った部分が当たる頻度が高いためｙ１が大きくなる。逆に水分量が少ないときはｙ１が小さくなる。乾燥度検出手段１２は、このｙ１とｔ５から衣類の状態を検出し、運転終了時に適度な乾燥状態になるように時刻ｔ５以降の運転時間Ｔ６を決定し、図４（ｃ）に示すように制御手段１５によりヒータ５を時刻ｔ７まで通電する。図４（ｂ）は温度センサ１３の温度Ｔｈの時間変化を示した図であるが、フィルター７が目詰まりしていない場合は判別値Ｔｈ１よりも低いので、フィルター目詰まり検出手段１４によりフィルター７は目詰まりしていないと識別している。
【００１３】
図５（ａ）は乾きにくい衣類を乾燥させたときの、単位時間当りに抵抗検知手段１１によって衣類の抵抗値が所定の値よりも小さいことを検出した回数Ｙの時間変化を示したものである。フィルター７は目詰まりしていない。運転当初にはｙ２であったものが、乾燥の進行により徐々に回数が減少し、時刻ｔ８において０となる。乾燥度検出手段１２は、
このｙ２とｔ８から衣類の状態を検出し、運転終了時に適度な乾燥状態になるように時刻ｔ８以降の運転時間Ｔ９を決定し、図５（ｃ）に示すように制御手段１５によりヒータ５を時刻ｔ１０まで通電する。図５（ｂ）は温度センサ１３の温度Ｔｈの時間変化を示した図であるが、フィルター７が目詰まりしていない場合は判別値Ｔｈ１よりも低いので、フィルター目詰まり検出手段１４によりフィルター７は目詰まりしていないと識別している。
【００１４】
図４（ａ）と図５（ａ）を比較すると、ｙ１とｙ２はほぼ同じ値であるが、図５の方が乾きにくい衣類を乾燥させているため乾燥速度が遅く、ｔ８はｔ５よりも遅くなる。図５において乾燥度検出手段１２が算出した残りの運転時間Ｔ９は、乾燥速度が遅いため、図４のＴ６よりも長い時間になる。
【００１５】
図６（ａ）はフィルター７が目詰まりしているときに図４と同じ普通の衣類を乾燥させたときの、単位時間当りに抵抗検知手段１１によって衣類の抵抗値が所定の値よりも小さいことを検出した回数Ｙの時間変化を示したものである。運転当初にはｙ３であったものが、乾燥の進行により徐々に回数が減少し、時刻ｔ１１において０となる。図６（ｂ）に示すようにフィルター７が目詰まりしているために通過風量が少なくなり、ヒータ５の近傍に配設された温度センサ１３の温度Ｔｈは判別値Ｔｈ１を超えているため、フィルター目詰まり検出手段１４によりフィルター７は目詰まりしていると識別している。乾燥度検出手段１２は、このｙ３とｔ１１とフィルター７が目詰まりしているという情報から衣類の状態を検出し、運転終了時に適度な乾燥状態になるように時刻ｔ１１以降の運転時間Ｔ１２を決定し、図６（ｃ）に示すように制御手段１５によりヒータ５を時刻ｔ１３まで通電する。
【００１６】
図４（ａ）と図６（ａ）を比較すると、ｙ１とｙ３はほぼ同じ値であるが、フィルター７が目詰まりしているために通過風量が少なく、乾燥速度が遅くなり、ｔ１１はｔ５よりも遅くなる。図６において乾燥度検出手段１２が算出した残りの運転時間Ｔ１２は、乾燥速度が遅いため、図４のＴ６よりも長い時間になる。
【００１７】
図５（ａ）と図６（ａ）を比較すると、ｙ２とｙ３はほぼ同じ値であり、ｔ８とｔ１１の値もほぼ同じになっているが、Ｔ１２はＴ９よりも小さくなるように設定している。すなわち、乾きにくい衣類を乾燥させた場合とフィルター７が目詰まりしていた場合とで、前半の乾燥速度がほぼ同じであったとしても、運転終了時に適度な乾燥状態になるための必要な時間は異なるので、残りの運転時間は異なる設定をしている。
【産業上の利用可能性】
【００１８】
以上のように、本発明にかかる衣類乾燥機は、フィルターが目詰まりしても正確に乾燥検知をして適度な乾き具合で運転を終了することが可能となるので、自動的に運転を終了する衣類乾燥機等として有用である。
【図面の簡単な説明】
【００１９】
【図１】本発明の実施の形態１の衣類乾燥機のブロック図
【図２】同衣類乾燥機の縦断面図
【図３】同衣類乾燥機の電極の斜視図
【図４】（ａ）同衣類乾燥機で普通の衣類を乾燥させたときの抵抗検知手段の出力特性図（ｂ）同衣類乾燥機で普通の衣類を乾燥させたときの温度センサの時間変化を示す図（ｃ）同衣類乾燥機で普通の衣類を乾燥させたときのヒータ入力の時間変化を示す図
【図５】（ａ）同衣類乾燥機で乾きにくい衣類を乾燥させたときの抵抗検知手段の出力特性図（ｂ）同衣類乾燥機で乾きにくい衣類を乾燥させたときの温度センサの時間変化を示す図（ｃ）同衣類乾燥機で乾きにくい衣類を乾燥させたときのヒータ入力の時間変化を示す図
【図６】（ａ）同衣類乾燥機でフィルター目詰まり時に普通の衣類を乾燥させたときの抵抗検知手段の出力特性図（ｂ）同衣類乾燥機でフィルター目詰まり時に普通の衣類を乾燥させたときの温度センサの時間変化を示す図（ｃ）同衣類乾燥機でフィルター目詰まり時に普通の衣類を乾燥させたときのヒータ入力の時間変化を示す図
【図７】従来の衣類乾燥機の縦断面図
【図８】同衣類乾燥機の電極の斜視図
【図９】同衣類乾燥機の抵抗検知部の出力特性図
【符号の説明】
【００２０】
１  本体
２  モータ
３  ファン
４  回転ドラム
５  ヒータ
７  フィルター
８  電極
１１  抵抗検知手段
１２  乾燥度検出手段
１３  温度センサ
１４  フィルター目詰まり検出手段
１５  制御手段
【図１】
2010188034.tif 000003
【図２】
2010188034.tif 000004
【図３】
2010188034.tif 000005
【図４】
2010188034.tif 000006
【図５】
2010188034.tif 000007
【図６】
2010188034.tif 000008
【図７】
2010188034.tif 000009
【図８】
2010188034.tif 000010
【図９】
2010188034.tif 000011